(57)【要約】【課題】温水バイパス路の温水と給湯路の給湯用水との熱交換により給湯用水を加熱するように構成された熱源装置での水の凍結防止を適切に行うことができる熱源装置を提供する。【解決手段】熱源装置１での温水及び給湯用水の凍結防止のための凍結防止処理の実行条件が成立したとき、循環ポンプ１４を作動させつつ、三方弁１３を温水バイパス路１２を開く第１動作状態と温水バイパス路１２を閉じる第２動作状態とに交互に動作させる。凍結防止の要求度合いに関連する所定種類の指標情報により示される凍結防止の要求度合いが高いほど、三方弁１３を第１動作状態に動作させる期間を長くする。【選択図】図１
2019219067.tif 000002
【特許請求の範囲】
【請求項１】
外部の暖房端末との間で温水を循環させ得るように該暖房端末に温水路を介して接続された第１熱交換器と、
前記第１熱交換器を流れる温水を該第１熱交換器を介して加熱する加熱部と、
前記第１熱交換器の出口から前記暖房端末を経由させずに該第１熱交換器の入口に温水を還流させ得るように該第１熱交換器の出口を該第１熱交換器の入口に接続する温水バイパス路と、
上流側から流入する給湯用水を下流側に供給する給湯路と、
前記温水バイパス路を流れる温水から前記給湯路を流れる給湯用水に伝熱することで該給湯用水を加熱し得るように該温水バイパス路及び該給湯路に介装された第２熱交換器と、
前記第１熱交換器から前記暖房端末を経由する温水の循環を遮断し、且つ、前記第１熱交換器から前記温水バイパス路を経由する温水の循環を可能とする第１動作状態と、前記第１熱交換器から前記暖房端末を経由する温水の循環を可能とし、且つ、前記第１熱交換器から前記温水バイパス路を経由する温水の循環を遮断する第２動作状態とに切換可能な流路切換装置と、
該流路切換装置の第１動作状態及び第２動作状態のそれぞれの動作状態において前記第１熱交換器を経由させて温水を流通させるように作動可能な循環ポンプと、
前記加熱部、前記流路切換装置及び前記循環ポンプの作動を制御する機能を有する制御装置とを備える熱源装置であって、
前記制御装置は、当該熱源装置での前記温水及び給湯用水の凍結防止のための凍結防止処理の実行条件が成立したとき、前記循環ポンプを作動させつつ、前記流路切換装置を第１動作状態及び第２動作状態に交互に動作させるように構成されていると共に、前記凍結防止の要求度合いに関連する所定種類の指標情報を取得可能であり、該指標情報により示される前記凍結防止の要求度合いが高いほど、前記流路切換装置を前記第１動作状態に動作させる期間を長くするように構成されていることを特徴とする熱源装置。
【請求項２】
請求項１記載の熱源装置において、
前記指標情報は、前記給湯路内の給湯用水の温度の高低度合いを示す情報を含み、前記制御装置は、該指標情報により示される給湯用水の温度が低いほど、前記流路切換装置を前記第１動作状態に動作させる期間を長くするよう構成されていることを特徴とする熱源装置。
【請求項３】
請求項１又は２記載の熱源装置において、
前記制御装置は、前記凍結防止処理の実行条件が成立した状態で、前記加熱部の所定の作動条件が成立した場合に、前記循環ポンプを作動させつつ、前記流路切換装置を第１動作状態及び第２動作状態に交互に動作させることに加えて、前記加熱部を作動させるように構成されており、
前記指標情報は、前記加熱部を実際に作動させることがができたか否かを示す情報を含み、
前記制御装置は、前記凍結防止処理の実行条件が成立した状態で、前記加熱部の所定の作動条件が成立した場合に、該加熱部を作動させることができない場合には、該加熱部を作動させることができた場合よりも、前記流路切換装置を前記第１動作状態に動作させる期間を長くするよう構成されていることを特徴とする熱源装置。
【発明の詳細な説明】
【技術分野】
【０００１】
本発明は、暖房運転と給湯運転とを行い得る熱源装置に関する。
【背景技術】
【０００２】
暖房運転と給湯運転とを行い得る熱源装置としては、例えば特許文献１に見られるものが知られている。この熱源装置は、暖房端末との間で温水を循環させ得るように該暖房端末に温水路を介して接続された第１熱交換器と、この第１熱交換器を介して温水を加熱するバーナ（燃焼式の加熱源）と、第１熱交換器の出口から流出する温水を暖房端末を経由させずに第１熱交換器の入口に還流させるための温水バイパス路と、給湯用水を流す給湯路と、温水バイパス路を流れる温水から給湯路を流れる給湯用水に伝熱することにより該給湯用水を加熱し得るように該温水バイパス路及び給湯路に介装された第２熱交換器（液液式の熱交換器）と、第１熱交換器から暖房端末及び温水バイパス路の一方又は両方を経由させて温水を循環させるための循環ポンプとを備える。
【０００３】
さらに、この熱源装置は、前記温水路と温水バイパス路との接続部に介装された三方弁を備えており、この三方弁の作動制御を行うことで、循環ポンプに作動により第１熱交換器を流れる温水を、該第１熱交換器から、暖房端末及び温水バイパス路の一方だけを経由させて循環させたり、あるいは、暖房端末及び温水バイパス路の両方を経由させて循環させることが可能となっている。
【０００４】
そして、この熱源装置では、バーナの燃焼熱により第１熱交換器で加熱された温水を、暖房端末を経由させて循環させることで、暖房端末での暖房運転が行われる。また、給湯路での給湯用水の通水時に、第１熱交換器で加熱された温水を温水バイパス路を経由させて循環させることで、給湯用水が第２熱交換器で加熱され、ひいては、給湯路の下流側の給湯栓等に湯を供給する給湯運転が行われる。
【先行技術文献】
【特許文献】
【０００５】
【特許文献１】特開２０１８−７１９２５号公報
【特許文献２】特開平９−３１８０８５号公報
【発明の概要】
【発明が解決しようとする課題】
【０００６】
前記特許文献１に見られる如き構成の熱源装置では、冬季等の低温環境下において、暖房運転や給湯運転が行われていない状況で、熱源装置の内部で、第１熱交換器を通る温水路、あるいは、第２熱交換器を通る温水バイパス路もしくは給湯路の内部に存在する水が凍結する虞がある。そして、このような凍結が発生すると、第１熱交換器や第２熱交換器の損傷が生じる虞があるので、当該凍結を事前に防止することが望まれる。
【０００７】
一方、暖房用の温水を熱交換器と暖房端末との間で循環させるシステムでは、例えば特許文献２に見られるように、凍結防止のための所定の条件が成立すると、暖房用の温水を、熱交換器で加熱しつつ、該熱交換器と暖房端末との間で循環させることで、該暖房用の温水の凍結を防止する技術が従来より知られている。
【０００８】
ただし、かかる凍結防止技術をそのまま、前記特許文献１に見られる如き構成の熱源装置に適用しても、前記温水バイパス路あるいは給湯路の内部の水の凍結を防止することは難しい。
【０００９】
そこで、例えば、前記第１熱交換器から暖房端末を経由させて温水を循環させることと、第１熱交換器から温水バイパス路を経由させて温水を循環させることとを交互に行うことで、第１熱交換器を通る温水路と、第２熱交換器を通る温水バイパス路及び給湯路とで、内部の水の凍結を防止することが考えられる。
【００１０】
ただし、この場合、温水バイパス路での温水の流通が間欠的なものとなるため、環境条件等によっては、特に、第２熱交換器を通る温水バイパス路や給湯路の内部の水に与えられる熱量が不足して、該水の凍結を防止できない虞がある。
【００１１】
本発明はかかる背景に鑑みてなされたものであり、温水バイパス路の温水と給湯路の給湯用水との熱交換により給湯用水を加熱するように構成された熱源装置での水の凍結防止を適切に行うことができる熱源装置を提供することを目的とする。
【課題を解決するための手段】
【００１２】
本発明の熱源装置は、上記の目的を達成するために、外部の暖房端末との間で温水を循環させ得るように該暖房端末に温水路を介して接続された第１熱交換器と、
前記第１熱交換器を流れる温水を該第１熱交換器を介して加熱する加熱部と、
前記第１熱交換器の出口から前記暖房端末を経由させずに該第１熱交換器の入口に温水を還流させ得るように該第１熱交換器の出口を該第１熱交換器の入口に接続する温水バイパス路と、
上流側から流入する給湯用水を下流側に供給する給湯路と、
前記温水バイパス路を流れる温水から前記給湯路を流れる給湯用水に伝熱することで該給湯用水を加熱し得るように該温水バイパス路及び該給湯路に介装された第２熱交換器と、
前記第１熱交換器から前記暖房端末を経由する温水の循環を遮断し、且つ、前記第１熱交換器から前記温水バイパス路を経由する温水の循環を可能とする第１動作状態と、前記第１熱交換器から前記暖房端末を経由する温水の循環を可能とし、且つ、前記第１熱交換器から前記温水バイパス路を経由する温水の循環を遮断する第２動作状態とに切換可能な流路切換装置と、
該流路切換装置の第１動作状態及び第２動作状態のそれぞれの動作状態において前記第１熱交換器を経由させて温水を流通させるように作動可能な循環ポンプと、
前記加熱部、前記流路切換装置及び前記循環ポンプの作動を制御する機能を有する制御装置とを備える熱源装置であって、
前記制御装置は、当該熱源装置での前記温水及び給湯用水の凍結防止のための凍結防止処理の実行条件が成立したとき、前記循環ポンプを作動させつつ、前記流路切換装置を第１動作状態及び第２動作状態に交互に動作させるように構成されていると共に、前記凍結防止の要求度合いに関連する所定種類の指標情報を取得可能であり、該指標情報により示される前記凍結防止の要求度合いが高いほど、前記流路切換装置を前記第１動作状態に動作させる期間を長くするように構成されていることを特徴とする。
【００１３】
なお、本発明における「温水」は、温められた水に限らず、冷えた水であってもよい。ここで、前記循環ポンプを作動させつつ、流路切換装置を前記第１動作状態に動作させた状態では、第１熱交換器と温水バイパス路との間で温水が循環しつつ、該温水に、循環ポンプがその作動により発生する熱が伝熱される。このため、基本的には、熱源装置において、第１熱交換器と温水バイパス路とを経由する流路を流れる温水がさらに冷えるのが防止され、ひいては、該温水の凍結が防止（予防）される。
【００１４】
さらにこのとき、第２熱交換器において、温水バイパス路を流れる温水から、給湯路内の給湯用水への伝熱が行われ、この伝熱された熱は、熱源装置における給湯路で拡散する。このため、基本的には、熱源装置の内部において、第２熱交換器の通水路を含めた給湯用水がさらに冷えるのが防止され、ひいては、該給湯用水の凍結が防止（予防）される。
【００１５】
また、前記循環ポンプを作動させつつ、流路切換装置を前記第２動作状態に動作させた状態では、第１熱交換器と暖房端末との間で温水路を介して温水が循環しつつ、該温水に、循環ポンプがその作動により発生する熱が伝熱される。このため、基本的には、熱源装置の内部において、第１熱交換器と温水路とを流れる温水がさらに冷えるのが防止され、ひいては、該温水の凍結が防止（予防）される。
【００１６】
本発明では、前記制御装置は、前記凍結防止処理の実行条件が成立したとき、前記循環ポンプを作動させつつ、前記流路切換装置を第１動作状態及び第２動作状態に交互に動作させる。このため、熱源装置の内部において、前記温水や給湯用水が凍結するのを防止することが可能なる。
【００１７】
しかも、本発明では、前記制御装置は、前記凍結防止処理において、凍結防止の要求度合いに関連する所定種類の指標情報により示される凍結防止の要求度合いが高いほど、前記流路切換装置を第１動作状態に動作させる期間を長くする。このため、循環ポンプからの伝熱を受ける温水は、凍結防止の要求度合いが高いほど、熱源装置の内部において温水バイパス路を経由して流れる期間が長くなる。ひいては、該温水の保温性が高まる。
【００１８】
その結果、凍結防止の要求度合いが高いほど、熱源装置の内部を流れる温水が温まりやすくなると共に、第２熱交換器で給湯用水に伝熱される熱量も多くなる。ひいては、熱源装置の内部において、前記温水や給湯用水が凍結するのを防止することの効果が高まる。
【００１９】
よって、本発明によれば、温水バイパス路の温水と給湯路の給湯用水との熱交換により給湯用水を加熱するように構成された熱源装置での水の凍結防止を適切に行うことができる。
【００２０】
本発明では、前記指標情報は、前記給湯路内の給湯用水の温度の高低度合いを示す情報を含み得る。この場合、前記制御装置は、該指標情報により示される給湯用水の温度が低いほど、前記流路切換装置を前記第２動作状態に動作させる期間を長くするよう構成されていることが好ましい。
【００２１】
これによれば、前記指標情報により示される給湯用水の温度が低いほど、前記流路切換装置を前記第２動作状態に動作させる期間（熱源装置の内部において温水バイパス路を経由して温水が流れる期間）を長くするので、給湯用水の凍結を防止することの効果を高めることができる。
【００２２】
また、本発明では、前記制御装置が、前記凍結防止処理の実行条件が成立した状態で、前記加熱部の所定の作動条件が成立した場合に、前記循環ポンプを作動させつつ、前記流路切換装置を第１動作状態及び第２動作状態に交互に動作させることに加えて、前記加熱部を作動させるように構成されている場合において、前記指標情報は、前記加熱部を実際に作動させることができたか否かを示す情報を含み得る。この場合、前記制御装置は、前記凍結防止処理の実行条件が成立した状態で、前記加熱部の所定の作動条件が成立した場合に、該加熱部を作動させることができない場合には、該加熱部を作動させることができた場合よりも、前記流路切換装置を前記第２動作状態に動作させる期間を長くするよう構成されていることが好ましい。
【００２３】
これによれば、前記加熱部を作動させることができない場合の凍結防止処理では、前記流路切換装置を前記第２動作状態に動作させる期間（熱源装置の内部において温水バイパス路を経由して温水が流れる期間）を長くするので、加熱部を作動させることができない状況でも、熱源装置の内部の温水や給湯用水の凍結を防止することの効果を高めることができる。
【図面の簡単な説明】
【００２４】
【図１】本発明の実施形態の熱源装置の全体構成を示す図。
【図２】図１に示す制御装置による処理を示すフローチャート。
【図３】図１に示す制御装置による処理を示すフローチャート。
【図４】実施形態の熱源装置の通水路の温度と給湯側ＯＮ時間との関係の測定例を示すグラフ。
【発明を実施するための形態】
【００２５】
本発明の一実施形態を図１〜図４を参照して以下に説明する。図１を参照して、本実施形態の熱源装置１は、暖房運転と給湯運転とを行い得る装置であり、室外に設置される本体ケース２を有する。この本体ケース２の内部には、加熱部としてのバーナ３と、該バーナ３の燃焼熱により加熱される第１熱交換器４とが内部（燃焼室）に収容された燃焼筐５と、液液式の第２熱交換器１０とが搭載されている。
【００２６】
また、熱源装置１は、第１熱交換器４と本体ケース２の外部の暖房端末５０との間で温水を循環させるための温水路１１と、給湯用水を通水する給湯路２０とを備える。
【００２７】
図１に示すバーナ３は、その下面側に燃焼炎を形成するガスバーナであり、燃焼筐５の上部に配置されている。このバーナ３に燃料ガスを供給する燃料供給路３ａが、本体ケース２の内部から外部に導出され、該本体ケース２の外部にて、図示しない燃料供給源の配管に接続されている。そして、燃料供給路３ａには、これを開閉する電磁弁３ｂと、バーナ３への燃料ガスの供給量を調整する燃料調整弁３ｃとが介装されている。燃料調整弁３ｃは例えば比例弁等により構成され得る。
【００２８】
燃焼筐５の上部には、バーナ３に燃焼用空気を供給する電動式の燃焼ファン６が取り付けられている。該燃焼ファン６は、その回転作動により、本体ケース２の外部の空気を吸引し、その吸引した空気を燃焼用空気としてバーナ３に供給する。また、燃焼筐５の下部には、バーナ３の燃焼運転により生成される燃焼排ガスを燃焼筐５の内部（燃焼室）から本体ケース２の外部に導出する排気ダクト５ａが接続されている。
【００２９】
第１熱交換器４は、暖房用の熱媒としての温水をバーナ３の燃焼熱により加熱するものであり、燃焼筐５の内部で、バーナ３の下側に配置されている。なお、第１熱交換器４の上側にバーナ３を配置する代わりに、第１熱交換器４の下側にバーナを配置し、該バーナの燃焼熱により第１熱交換器４を加熱するように構成することも可能である。
【００３０】
第１熱交換器４は、暖房端末５０との間で温水を循環させ得るように、温水路１１を介して暖房端末５０に接続されている。より詳しくは、温水路１１は、第１熱交換器４から暖房端末５０に温水を供給する往路側温水路１１ａと、該暖房端末５０から第１熱交換器４に温水を戻す復路側温水路１１ｂとから構成される。これらの往路側温水路１１ａ及び復路側温水路１１ｂのそれぞれは、それぞれの構成要素として本体ケース２内に備えられた配管に、本体ケース２の外部に配設される配管を連接することで構成される。
【００３１】
そして、本体ケース２の内部の往路側温水路１１ａの上流端と復路側温水路１１ｂの下流端とが、第１熱交換器４の内部の通水路４ａの出口と入口とに各々接続され、本体ケース２の外部の往路側温水路１１ａと復路側温水路１１ｂとが、床暖房装置等の温水式の暖房端末５０に接続されている。なお、図１では、単一の暖房端末５０だけを図示しているが、往路側温水路１１ａと復路側温水路１１ｂとの間には、複数の暖房端末が接続されていてもよい。
【００３２】
本体ケース２の内部の往路側温水路１１ａと復路側温水路１１ｂとは、第１熱交換器４の通水路４ａの出口から往路側温水路１１ａに流出する温水を暖房端末５０を経由させずに、第１熱交換器４の通水路４ａの入口に還流させる温水バイパス路１２を介して接続されている。
【００３３】
この温水バイパス路１２は、その中間部（途中部）に第２熱交換器１０が介装されており、該第２熱交換器１０の上流側の温水バイパス路１２と該第２熱交換器１０の下流側の温水バイパス路１２とが該第２熱交換器１０に備えられた２つの通水路１０ａ，１０ｂのうちの一方の通水路１０ａを介して連通されている。該通水路１０ａは、換言すれば、温水バイパス路１２の中間部を構成する流路である。
【００３４】
そして、温水バイパス路１２の上流端部は、往路側温水路１１ａに直接的に連通するように接続されている。これにより、温水バイパス路１２は、往路側温水路１１ａの一部（温水バイパス路１２との接続部よりも上流側の部分）を介して第１熱交換器４の通水路４ａの出口に接続されている。
【００３５】
また、本実施形態では、温水バイパス路１２の下流端部は、復路側温水路１１ｂに電動式の三方弁１３を介して接続されている。従って、温水バイパス路１２は、三方弁１３と復路側温水路１１ｂの一部（三方弁１３よりも下流側の部分）とを介して第１熱交換器４の通水路４ａの入口に接続されている。
【００３６】
ここで、上記三方弁１３は、本発明における流路切換装置に相当するものであり、温水バイパス路１２の下流端部と復路側温水路１１ｂの上流側部分とが各々接続された２つの入口ポート１３ａ，１３ｂと、復路側温水路１１ｂの下流側部分が接続された１つの出口ポート１３ｃとを有する。
【００３７】
そして、三方弁１３は、その作動制御によって、一方の入口ポート１３ａを出口ポート１３ｃに対して開弁し、且つ、他方の入口ポート１３ｂを閉弁する第１動作状態と、他方の入口ポート１３ｂを出口ポート１３ｃに対して開弁し、且つ、一方の入口ポート１３ａを閉弁する第２動作状態とに動作させることが可能である。
【００３８】
さらに、三方弁１３は、入口ポート１３ａ，１３ｂにそれぞれ流入する温水を混合して、出口ポート１３ｃから流出させる動作状態（入口ポート１３ａ，１３ｂの両方を出口ポート１３ｃに連通させる動作状態。以降、混合動作状態という）に動作させることも可能である。この混合動作状態では、入口ポート１３ａから出口ポート１３ｃへの温水の流量Ｗ１と、入口ポート１３ｂから出口ポート１３ｃへの温水の流量Ｗ２との割合（比率）を可変的に制御することも可能である。
【００３９】
なお、三方弁１３の第１動作状態は、換言すれば、入口ポート１３ａ側の流量Ｗ１に対する入口ポート１３ｂ側の流量Ｗ１の比率Ｗ２／Ｗ１をゼロに制御した状態、第２動作状態は、換言すれば、入口ポート１３ｂ側の流量Ｗ２に対する入口ポート１３ａ側の流量Ｗ１の比率Ｗ１／Ｗ２をゼロに制御した状態である。
【００４０】
本実施形態では、かかる三方弁１３が、温水バイパス路１２と復路側温水路１１ｂとの接続部に介装されている。そして、三方弁１３と第１熱交換器４との間の復路側温水路１１ｂに、温水を循環させる循環ポンプ１４が介装されている。
【００４１】
このため、三方弁１３の第１動作状態で循環ポンプ１４を作動させると、図１の破線の矢印Ｙ２で示すように、第１熱交換器４の通水路４ａをその入口から出口に流れる温水が、該通水路４ａの出口から、暖房端末５０に流れることなく、温水バイパス路１２を経由して第１熱交換器４の通水路４ａの入口に戻るようにして循環する。従って、三方弁１３の第１動作状態は、本発明における流路切換装置の第１動作状態に相当する。以降、三方弁１３の第１動作状態を、給湯側ＯＮ状態と称する。
【００４２】
また、三方弁１３の第２動作状態で循環ポンプ１４を作動させると、図１の実線の矢印Ｙ１で示すように、第１熱交換器４の通水路４ａをその入口から出口に流れる温水が、該通水路４ａの出口から、温水バイパス路１２に流れることなく、往路側温水路１１ａ、暖房端末５０及び復路側温水路１１ｂを経由して第１熱交換器４の通水路４ａの入口に戻るようにして循環する。従って、三方弁１３の第２動作状態は、本発明における流路切換装置の第２動作状態に相当する。以降、三方弁１３の第２動作状態を、暖房側ＯＮ状態と称する。
【００４３】
補足すると、本実施形態では、流路切換装置として上記三方弁１３を採用したが、流路切換装置は、他の構成のものであってもよい。例えば、上記三方弁１３の代わりに、往路側温水路１１ａのうちの温水バイパス路１２との接続部よりも下流側の部分、又は復路側温水路１１ｂのうちの温水バイパス路１２との接続部よりも上流側の部分に介装した流量制御弁又は開閉弁と、温水バイパス路１２に介装した流量制御弁又は開閉弁との組により、流路切換装置を構成することも可能である。
【００４４】
あるいは、上記三方弁１３の代わりに、温水バイパス路１２と往路側温水路１１ａとの接続部に介装した三方弁（詳しくは、往路側温水路１１ａの上流側に接続した１つの入口ポートと、往路側温水路１１ａの下流側と、温水バイパス路１２とに各々接続した２つの出口ポートとを有する三方弁）により、流路切換装置を構成することも可能である。
【００４５】
給湯路２０は、該給湯路２０の構成要素として本体ケース２内に備えられた配管の上流側と下流側とに、本体ケース２の外部に配設された配管を連接して構成されている。そして、この給湯路２０の上流側が、本体ケース２の外部の図示しない給水源の配管に接続され、下流側が本体ケース２の外部の給湯栓等の給湯対象部に接続されている。そして、本体ケース２の内部の給湯路２０の中間部（途中部）に第２熱交換器１０が介装されている。
【００４６】
この場合、第２熱交換器１０の上流側の給湯路２０と該第２熱交換器１０の下流側の給湯路２０とが第２熱交換器１０に備えられた２つの通水路１０ａ，１０ｂのうちの他方の通水路１０ｂ（温水バイパス路１２を構成する通水路１０ａと異なる通水路１０ｂ）を介して連通されている。該通水路１０ｂは、換言すれば、給湯路２０の中間部を構成する流路である。
【００４７】
そして、第２熱交換器１０は、通水路１０ａを流れる温水から通水路１０ｂを流れる給湯用水に伝熱し得るように構成されており、この伝熱により給湯用水を加熱することが可能である。
【００４８】
また、本実施形態では、第２熱交換器１０の上流側の給湯路２０と該第２熱交換器１０の下流側の給湯路２０とは、上流側の給湯路２０から第２熱交換器１０を経由させずに下流側の給湯路２０に給湯用水を流す給湯バイパス路２１を介して接続されている。該給湯バイパス路２１は、本体ケース２の内部に配設され、その上流端部が、第２熱交換器１０の上流側の給湯路２０に直接的に連通するように接続されている。
【００４９】
また、給湯バイパス路２１の下流端部は、第２熱交換器１０の下流側の給湯路２０に電動式の三方弁２２を介して接続されている。この三方弁２２は、前記三方弁１３と同様の構成のものであり、給湯バイパス路２１の下流端部と、該三方弁２２よりも上流側の給湯路２０（三方弁２２と第２熱交換器１０との間の給湯路２０）とが各々接続された２つの入口ポート２２ａ，２２ｂと、該三方弁２２よりも下流側の給湯路２０が接続された１つの出口ポート２２ｃとを有する。
【００５０】
そして、三方弁２２は、その作動制御によって、入口ポート２２ａ，２２ｂにそれぞれ流入する温水を混合して、出口ポート２２ｃから流出させることが可能であると共に、入口ポート２２ａから出口ポート２２ｃへの給湯用水の流量Ｗ３（換言すれば、給湯路２０の通水時に、給湯バイパス路２１を流れる給湯用水の流量）と、入口ポート２２ｂから出口ポート２２ｃへの温水の流量Ｗ４（換言すれば、給湯路２０の通水時に、第２熱交換器１０の通水路１０ｂを流れる給湯用水の流量）との割合（以降、給湯バイパス比ということがある）を可変的に制御することが可能である。この給湯バイパス比の調整により、三方弁２２から下流側の給湯路２０に流れる給湯用水の温度を変化させることが可能である。
【００５１】
なお、例えば、上記三方弁２２を備える代わりに、第２熱交換器１０の上流側の給湯路２０のうちの、給湯バイパス路２１の接続部よりも下流側の流路と給湯バイパス路２１との両方又は一方に、あるいは、第２熱交換器１０の下流側の給湯路２０のうちの、給湯バイパス路２１の接続部よりも上流側の流路と給湯バイパス路２１との両方又は一方に流量制御弁を介装し、この流量制御弁を制御することで、給湯バイパス比を可変的に制御することも可能である。
【００５２】
あるいは、上記三方弁２２を備える代わりに、給湯バイパス路２１と第２熱交換器１０の上流側の給湯路２０との接続部に、該接続部よりも上流側の給湯路２０を接続した１つの入口ポートと、該接続部よりも下流側の給湯路２０と給湯バイパス路２１とを各々接続した２つの出口ポートとを有する三方弁を介装し、この三方弁の作動制御を行うことにより、上記給湯バイパス比を可変的に制御することも可能である。
【００５３】
本実施形態の熱源装置１は、以上説明した構成の他、該熱源装置１の作動制御に係る構成として、制御装置３０と、複数のセンサとを備える。
【００５４】
この場合、熱源装置１の複数のセンサには、例えば、本体ケース２の内部の温度を検出し得るように該本体ケース２の内部に搭載された温度センサ７、排気ダクト５ａ内の温度を検出し得るように該排気ダクト５ａの内部に配置された温度センサ８、第１熱交換器４から往路側温水路１１ａに流れる温水の温度を検出し得るように該往路側温水路１１ａに装着された温度センサ１５、復路側温水路１１ｂから第１熱交換器４に流入する温水の温度を検出し得るように該復路側温水路１１ｂに装着された温度センサ１６、第２熱交換器１０に流入する給湯用水の温度を検出し得るように該第２熱交換器１０の上流側の給湯路２０に装着された温度センサ２４、給湯路２０の下流側の給湯対象部に供給される給湯用水の温度を検出し得るように三方弁２２の下流側の給湯路２０に装着された温度センサ２５、給湯路２０に給水源側から流入する給湯用水の流量を検出し得るように給湯バイパス路２１との接続部よりも上流側の給湯路２０に介装された流量センサ２３が含まれる。
【００５５】
制御装置３０は、マイクロコンピュータ、メモリ、インターフェース回路等を含む電子回路ユニットにより構成され、上記の各センサの検出信号が入力される。また、該制御装置３０は、熱源装置１による暖房運転及び給湯運転等に関する種々の操作を行うためのリモコン３１と有線又は無線による通信を行うことが可能である。
【００５６】
この場合、リモコン３１は、暖房運転及び給湯運転のオン・オフ操作、暖房運転時の暖房強度もしくは目標室温の設定、給湯運転時の目標給湯温度の設定等の操作を行うことが可能である。また、リモコン３１は、図示しない表示器や発音部等により種々の報知情報を出力可能である。
【００５７】
そして、制御装置３０は、実装されたハードウェア構成及びプログラム（ソフトウェア構成）により実現される機能として、前記電磁弁３ｂ、燃料調整弁３ｃ、燃焼ファン６、及び図示しない点火装置の作動制御を通じて、バーナ３の燃焼運転を制御する機能と、前記循環ポンプ１４及び三方弁１３の作動制御を通じて、温水路１１及び温水バイパス路１２での温水の流れを制御する機能と、前記三方弁２２の作動制御を通じて給湯温度を制御する機能とを有する。
【００５８】
また、制御装置３０は、暖房運転及び給湯運転に係る作動制御の他、本体ケース２の内部における温水及び給湯用水の凍結を防止するための作動制御を行う機能を有する。
【００５９】
次に、本実施形態の熱源装置１の作動をより具体的に説明する。まず、暖房運転及び給湯運転に関する作動を概略的に説明する。暖房運転及び給湯運転のうちの暖房運転だけを行う場合には、制御装置３０は、三方弁１３を前記暖房側ＯＮ状態に制御しつつ、循環ポンプ１４を作動させると共に、バーナ３の燃焼運転を行わせる。
【００６０】
これにより、第１熱交換器４と暖房端末５０との間で温水の循環が行われつつ、該温水が第１熱交換器４で加熱される。そして、加熱された温水が暖房端末５０で放熱することで、該暖房端末５０が配置された部屋の暖房が行われる。この場合、バーナ３の燃焼量は、リモコン３１で設定された暖房強度もしくは目標室温、温度センサ１５，１６による温水の温度の検出値等に応じて制御される。
【００６１】
また、給湯運転だけを行う場合には、制御装置３０は、流量センサ２３による給湯路２０での通水の検知に応じて、三方弁１３を前記給湯側ＯＮ状態に制御しつつ、循環ポンプ１４を作動させると共に、バーナ３の燃焼運転を行わせる。そして、制御装置３０は、バーナ３の燃焼量と、前記給湯バイパス比とを、温度センサ１５，１６による温水の温度の検出値、リモコン３１で設定された目標給湯温度、温度センサ２４，２５による給湯用水の温度の検出値、流量センサ２３による給湯用水の流量の検出値等に応じて制御する。
【００６２】
これにより、第１熱交換器４と温水バイパス路１２及び第２熱交換器１０との間で温水の循環が行われつつ、該温水が第１熱交換器４で加熱される。併せて、第２熱交換器１０での温水と給湯用水との熱交換によって、給湯用水が加熱される。そして、第２熱交換器１０で加熱された給湯用水と、給湯バイパス路２１を通る非加熱状態の給湯用水とが、三方弁２２で混合されて、給湯路２０の下流側に供給されることで、目標給湯温度に一致もしくはほぼ一致するように温調制御された給湯用水（湯）が、給湯栓等の給湯対象部に供給される。
【００６３】
また、暖房運転と給湯運転とを並行して行う場合には、三方弁１３を前記混合動作状態に制御しつつ、循環ポンプ１４を作動させると共に、バーナ３の燃焼運転を行わせる。これにより、第１熱交換器４と暖房端末５０との間、並びに、第１熱交換器４と温水バイパス路１２及び第２熱交換器１０との間で温水の循環が行われつつ、該温水が第１熱交換器４で加熱される。併せて、第２熱交換器１０での温水と給湯用水との熱交換によって、給湯用水が加熱される。
【００６４】
そして、制御装置３０は、バーナ３の燃料量と、三方弁１３の混合動作状態での流量Ｗ１，Ｗ２の比率と、前記給湯バイパス比とを、温度センサ１５，１６による温水の温度の検出値、リモコン３１で設定された暖房強度もしくは目標室温、目標給湯温度、温度センサ２４，２５による給湯用水の温度の検出値、流量センサ２３による給湯用水の流量の検出値等に応じて制御する。
【００６５】
これにより、上記の暖房運転時と同様に、暖房端末５０が配置された部屋の暖房が行われる。併せて、上記の給湯運転時と同様に、標給湯温度に一致もしくはほぼ一致するように温調制御された給湯用水（湯）が、給湯栓等の給湯対象部に供給される。
【００６６】
次に、本体ケース２内の通水路内の水の凍結を防止するために制御装置３０により実行される処理を説明する。ここで、本体ケース２内の通水路というのは、本体ケース２内に配設されている温水路１１（第１熱交換器４の通水路４ａを含む）、温水バイパス路１２（第２熱交換器１０の通水路１０ａを含む）、本体ケース２内に配設されている給湯路２０（第２熱交換器１０の通水路１０ｂを含む）及び給湯バイパス路２１の全体である。
【００６７】
これらの通水路の水の凍結が発生すると、熱源装置１がダメージを受ける虞がある。特に、第１熱交換器４の通水路４ａもしくはその近辺の温水路１１、あるいは、第２熱交換器１０の通水路１０ａもしくはその近辺の温水バイパス路１２、あるいは、第２熱交換器１０の通水路１０ｂもしくはその近辺の給湯路２０で水の凍結が発生すると、第１熱交換器４もしくは第２熱交換器１０が損傷を受ける虞がある。
【００６８】
そこで、制御装置３０は、熱源装置１の暖房運転及び給湯運転の両方が実行されていない待機状態において、本体ケース２内の通水路の水の凍結を防止（予防）するために、図２及び図３のフローチャートに示す処理を実行する。
【００６９】
ＳＴＥＰ１において、制御装置３０は、凍結防止のための処理の開始条件である凍結防止開始条件が成立した否かを判断する。該凍結防止開始条件は、本体ケース２内の通水路の水が近々、凍結する可能性があるとみなし得る条件である。
【００７０】
本実施形態では、凍結防止開始条件は、例えば、温度センサ７による本体ケース２内の温度（以降、ケース内温度という）の検出値が所定値（例えば２℃）よりも低く、且つ、温度センサ１６による復路側温水路１１ｂ内の水の温度（以降、復路側水温という）の検出値が所定値（例えば２０℃）よりも低いという第１条件と、温度センサ８による排気ダクト５ａ内の温度（以降、排気路内温度という）の検出値が所定値（例えば０℃）よりも低く、且つ、温度センサ１６による復路側水温の検出値が所定値（例えば１０℃）よりも低いという第２条件とのいずれか一方が成立するという条件である。
【００７１】
なお、凍結防止開始条件は、例えば、上記第１条件及び第２条件のいずれか一方の条件だけでもよく、あるいは、上記ケース内温度、排気路内温度、及び復路側水温のうちのいずれか１つ又は２つの温度だけに関する条件であってもよい。また、凍結防止開始条件は、例えば、給湯用水の温度に関する条件、あるいは、往路側温水路１１ａ内の水の温度に関する条件、あるいは、本体ケース２の外部の外気温に関する条件を含んでいてもよい。
【００７２】
ＳＴＥＰ１の判断結果が否定的である場合（凍結防止開始条件が成立しない場合）には、制御装置３０は、ＳＴＥＰ１の判断処理を繰り返す。
【００７３】
また、ＳＴＥＰ１の判断結果が肯定的である場合（凍結防止開始条件が成立した場合）には、制御装置３０は、ＳＴＥＰ２において、循環ポンプ１４の作動を開始させる。これにより、第１熱交換器４での通水が開始される。
【００７４】
さらに、ＳＴＥＰ３において、制御装置３０は、温水路１１の三方弁１３を前記暖房側ＯＮ状態に維持する時間幅である暖房側ＯＮ時間と、該三方弁１３を前記給湯側ＯＮ状態に維持する時間幅である給湯側ＯＮ時間とを設定する。
【００７５】
ここで、本実施形態では、制御装置３０は、凍結防止のための処理として、基本的には、三方弁１３を暖房側ＯＮ状態に制御した状態で、第１熱交換器４と暖房端末５０との間で水を循環させる処理（以降、暖房側水循環処理という）と、三方弁１３を給湯側ＯＮ状態に制御した状態で、第１熱交換器４と温水バイパス路１２（第２熱交換器１０の通水路１０ａを含む）との間で温水を循環させる処理（以降、給湯側水循環処理という）とを交互に繰り返す。そして、上記暖房側ＯＮ時間は、換言すれば、暖房側水循環処理を実行する時間幅であり、上記給湯側ＯＮ時間は、換言すれば、給湯側水循環処理を実行する時間幅である。
【００７６】
これらの暖房側ＯＮ時間及び給湯側ＯＮ時間は、本実施形態では、温度センサ２４で検出される給湯用水の温度（以降、給水温度Ｔinという）に応じて、例えば、次の表１で示す如く設定される。
【００７７】
【表１】
2019219067.tif 000003
【００７８】
表１に示す如く、給湯側ＯＮ時間は、給水温度Ｔinが低いほど、長くなり、また、暖房側ＯＮ時間に対する給湯側ＯＮ時間の比率も、給水温度Ｔinが低いほど、大きくなるように設定される。また、暖房側ＯＮ時間は、給水温度Ｔinが低いほど、短くなるように設定される。ただし、給水温度Ｔinの変化に対する暖房側ＯＮ時間の変化は、給湯側ＯＮ時間の変化に比して十分に微小である。
【００７９】
次いで、ＳＴＥＰ４において、制御装置３０は、温水路１１の三方弁１３を暖房側ＯＮ状態に駆動すると共に、計時タイマを起動する。このとき、循環ポンプ１４が作動しつつ、三方弁１３が暖房側ＯＮ状態に駆動されることで暖房側水循環処理が開始し、第１熱交換器４と暖房端末５０との間で水を循環させるように温水路１１での通水が行われる。
【００８０】
このとき、循環ポンプ１４がその作動により発生する熱が本体ケース２内の温水路１１を流れる水に伝熱されることで、基本的には、該水が徐々に温められていくか、もしくは該水の温度低下が抑制される。
【００８１】
ただし、循環ポンプ１４の作動により発生する熱だけでは、温水路１１内の水の凍結を確実に防止する上で不十分である場合もある。そこで、制御装置３０は、上記の如く暖房側水循環処理を実行しながら、ＳＴＥＰ５において、バーナ３の燃焼運転を行うべき条件（燃焼条件）が成立するか否かを判断する。
【００８２】
この燃焼条件は、本実施形態では、例えば前記復路側水温及び給水温度Ｔinに関する条件である。例えば、復路側水温が所定値（例えば６℃）よりも低いか、又は、給水温度Ｔinが所定値（例えば１℃）よりも低いか、又は、後述する図３のフローチャートに示す処理によって、バーナ３の燃焼運転が既に行われているという条件が、燃焼条件として使用される。
【００８３】
ＳＴＥＰ５で燃焼条件が成立した場合には、制御装置３０は、図３のフローチャートにに示す処理を実行する。この処理については後述する。
【００８４】
また、ＳＴＥＰ５において燃焼条件が成立しない場合には、制御装置３０は、バーナ３の燃焼運転を開始することなく、ＳＴＥＰ６において、計時タイマにより計時された現在の経過時間（暖房側水循環所処理の開始時からの経過時間）がＳＴＥＰ３で設定した暖房側ＯＮ時間に達した否かを判断する。そして、このＳＴＥＰ６の判断結果が否定的である場合には、制御装置３０は、ＳＴＥＰ５からの処理を繰り返す。
【００８５】
ＳＴＥＰ５で燃焼条件が成立しないまま、暖房側ＯＮ時間が経過すると、ＳＴＥＰ６の判断結果が肯定的になる。この場合には、制御装置３０は、ＳＴＥＰ７において、温水路１１の三方弁１３を暖房側ＯＮ状態から給湯側ＯＮ状態に駆動すると共に、計時タイマをリセットした上で再起動する。このとき、循環ポンプ１４が作動しつつ、三方弁１３が給湯側ＯＮ状態に駆動されることで給湯側水循環処理が開始し、第１熱交換器４と温水バイパス路１２（第２熱交換器１０の通水路１０ａを含む）との間で水を循環させるように温水バイパス路１２での通水が行われる。
【００８６】
このとき、循環ポンプ１４が発生する熱が、本体ケース２内で温水バイパス路１２を経由して循環する水に伝熱される。さらに、温水バイパス路１２内の水から第２熱交換器１０の通水路１０ｂの水への伝熱も行われ、その熱は、本体ケース２内の給湯路２０及び給湯バイパス路２１内の水に拡散していく。このため、基本的には、本体ケース２内で温水バイパス路１２を経由して循環する水と、本体ケース２内の給湯路２０（第２熱交換器１０の通水路１０ｂを含む）及び給湯バイパス路２１に残留する水とが徐々に温められていくか、もしくはそれらの水の温度のさらなる低下が抑制される。
【００８７】
また、この場合、循環ポンプ１４から伝熱される水は、本体ケース２内で流通もしくは残留するため、本体ケース２の外部への放熱が生じ難い。このため、該水が温まりやすくなる。
【００８８】
制御装置３０は、暖房側水循環処理の場合と同様に、上記の如く給湯側水循環処理を実行しながら、ＳＴＥＰ８において、バーナ３の燃焼運転を行うべき燃焼条件が成立するか否かを判断する。この燃焼条件は、前記ＳＴＥＰ５と同じである。
【００８９】
ＳＴＥＰ８で燃焼条件が成立した場合には、制御装置３０は、図３のフローチャートにに示す処理を後述する如く実行する。
【００９０】
また、ＳＴＥＰ８において燃焼条件が成立しない場合には、制御装置３０は、バーナ３の燃焼運転を開始することなく、ＳＴＥＰ９において、計時タイマにより計時された現在の経過時間（給湯側水循環所処理の開始時からの経過時間）がＳＴＥＰ３で設定した給湯側ＯＮ時間に達した否かを判断する。そして、このＳＴＥＰ９の判断結果が否定的である場合には、制御装置３０は、ＳＴＥＰ８からの処理を繰り返す。
【００９１】
ＳＴＥＰ８で燃焼条件が成立しないまま、給湯側ＯＮ時間が経過すると、ＳＴＥＰ９判断結果が肯定的になる。この場合には、制御装置３０は、ＳＴＥＰ１０において、凍結防止のための処理の終了条件である凍結防止終条件件が成立した否かを判断する。該凍結防止終了条件は、本実施形態では、ＳＴＥＰ１の凍結防止開始条件が成立しないという条件である。
【００９２】
従って、凍結防止終了条件は、温度センサ７によるケース内温度の検出値が所定値（例えば２℃）以上であるか、又は、温度センサ１６による復路側水温の検出値が所定値（例えば２０℃）以上であるという第３条件と、温度センサ８による排気路内温度の検出値が所定値（例えば０℃）以上であるか、又は、温度センサ１６による復路側水温の検出値が所定値（例えば１０℃）以上であるという第４条件との両方が成立するという条件である。
【００９３】
ＳＴＥＰ１０で凍結防止条件が成立しない場合には、制御装置３０は、ＳＴＥＰ３からの処理を繰り返す。また、ＳＴＥＰ１０で凍結防止条件が成立した場合には、制御装置３０は、次にＳＴＥＰ１１で循環ポンプ１４の作動を停止させた後、ＳＴＥＰ１からの処理を再開する。なお、ＳＴＥＰ１１では、バーナ３の燃焼運転の実行中である場合には、制御装置３０は、バーナ３を消火させる（前記電磁弁３ｂを閉弁制御することで、バーナ３への燃料供給を遮断する）ことも実行する。
【００９４】
次に、前記ＳＴＥＰ５又は８で燃焼条件が成立した場合の処理（図３のフローチャートの処理）を説明する。この処理では、制御装置３０は、ＳＴＥＰ１２において、バーナ３が現在、燃焼運転中であるか否かを判断する。
【００９５】
このＳＴＥＰ１２の判断結果が否定的である場合（バーナ３が消火している場合）には、制御装置３０は、ＳＴＥＰ１３において、バーナ３を点火するための点火処理を実行する。この点火処理では、制御装置３０は、図示しないイグナイタを駆動することと、燃焼ファン６を所定の回転数で作動させることと、バーナ３に所定量の燃料ガスを供給するように燃料供給路３ａの電磁弁３ｂの開弁制御及び燃料調整弁３ｃの通電制御とを実行する。
【００９６】
そして、制御装置３０は、ＳＴＥＰ１４において、バーナ３の燃焼運転が正常に開始したか否か（点火エラーが無いか否か）を、図示しない炎検知センサ（熱電対、フレームロッド等）の検出信号に基づいて判断する。
【００９７】
ＳＴＥＰ１２の判断結果が肯定的である場合（バーナ３が燃焼運転中である場合）、あるいは、ＳＴＥＰ１４でバーナ３の燃焼運転が正常に開始した場合（ＳＴＥＰ１４の判断結果が肯定的である場合）には、制御装置３０は、次に、ＳＴＥＰ１５において、バーナ３の燃焼運転を終了すべき所定の燃焼終了条件が成立するか否かを判断する。
【００９８】
この燃焼終了条件は、本実施形態では、例えば前記温度センサ１６による復路側水温が所定値（例えば３５℃）よりも高い温度まで昇温したという条件である。なお、バーナ３の燃焼運転の開始後の燃焼量は所定の小燃焼量に制御される。そして、バーナ３の燃焼運転によって、第１熱交換器４の通水路４ａを通って流れる水が加熱される。ひいては、暖房側水循環処理により第１熱交換器４と暖房端末５０との間で循環する水、あるいは、給湯側水循環処理により第１熱交換器４と温水バイパス路１２との間で循環する水が、バーナ３の燃焼熱により加熱されて昇温する。
【００９９】
ＳＴＥＰ１５で燃焼終了条件が成立しない場合には、制御装置３０は、バーナ３の燃焼運転を継続したまま、前記ＳＴＥＰ６又は１０からの処理（詳しくは、ＳＴＥＰ１２の処理の直前の処理が前記ＳＴＥＰ５である場合にはＳＴＥＰ６からの処理、ＳＴＥＰ１２の処理の直前の処理が前記ＳＴＥＰ８である場合にはＳＴＥＰ１０からの処理）を実行する。
【０１００】
また、ＳＴＥＰ１５で燃焼終了条件が成立した場合には、制御装置３０はＳＴＥＰ１６において、バーナ３を消火させた後、前記ＳＴＥＰ６又は１０からの処理（詳しくは、ＳＴＥＰ１２の処理の直前の処理が前記ＳＴＥＰ５である場合にはＳＴＥＰ６からの処理、ＳＴＥＰ１２の処理の直前の処理が前記ＳＴＥＰ８である場合にはＳＴＥＰ１０からの処理）を実行する。
【０１０１】
また、前記ＳＴＥＰ１４において、バーナ３の燃焼運転が正常に開始しなかった場合（ＳＴＥＰ１４の判断結果が否定的である場合）には、制御装置３０は、ＳＴＥＰ１７からの処理を実行する。
【０１０２】
ＳＴＥＰ１７では、制御装置３０は、温水路１１の三方弁１３を給湯側ＯＮ状態に駆動すると共に、計時タイマをリセットした上で再起動する。これにより、給湯側水循環処理が行われる。なお、前記ＳＴＥＰ７において、前記給湯側水循環処理が既に開始されている場合には、制御装置３０は、温水路１１の三方弁１３を給湯側ＯＮ状態に維持したままで、計時タイマを再起動する。
【０１０３】
次いで、ＳＴＥＰ１８において、制御装置３０は、温度センサ１６による復路側水温の検出値が所定値（例えば１０℃）よりも高くなったかを否かを判断する。そして、ＳＴＥＰ１８の判断結果が否定的である場合には、制御装置３０は、さらにＳＴＥＰ１９において、計時タイマにより計時された経過時間（ＳＴＥＰ１７の処理の実行時からの経過時間）が所定時間に達したか否かを判断する。該所定時間は、前記ＳＴＥＰ３で設定される給湯側ＯＮ時間よりも長い時間であり、例えば３０分である。
【０１０４】
そして、ＳＴＥＰ１９の判断結果が否定的である場合には、制御装置３０は、ＳＴＥＰ１８からの処理を繰り返す。また、ＳＴＥＰ１８又はＳＴＥＰ１９の判断結果が肯定的になった場合（復路側水温の検出値が所定値（例えば１０℃）よりも高くなるか、又は、ＳＴＥＰ１７からの経過時間が所定時間（例えば３０分）に達した場合）には、ＳＴＥＰ２０で計時タイマをリセットした後、前記ＳＴＥＰ９１０からの処理を実行する。
【０１０５】
本実施形態では、本体ケース２内の通水路（温水路１１、温水バイパス路１２、給湯路２０、給湯バイパス路２１）の水の凍結を防止（予防）するための凍結防止処理は以上説明した如く実行される。
【０１０６】
以上説明した本実施形態によれば、凍結防止処理では、基本的には、暖房側水循環処理委と給湯側水循環処理とが交互に行われる。
【０１０７】
この場合、暖房側水循環処理では、第１熱交換器４と暖房端末５０との間で温水路１１を循環する水に、循環ポンプ１４の作動により発生する熱が該循環ポンプ１４から伝熱される。このため、バーナ３の燃焼条件が成立しない状況下では、基本的には、本体ケース２内の温水路１１（第１熱交換器４の通水路４ａを含む）を流れる水が循環ポンプ１４から伝熱によって、徐々に温められるか、もしくは、該水の温度のさらなる低下が抑制される。これにより、本体ケース２内における温水路１１（第１熱交換器４の通水路４ａを含む）の全体の水の凍結を防止することが可能となる。また、暖房側水循環処理では、本体ケース２と暖房端末５０との間の温水路１１にも水が流れるので、該温水路１１の凍結も極力防止し得る。
【０１０８】
また、給湯側水循環処理では、第１熱交換器４と温水バイパス路１２との間で循環する水に、循環ポンプ１４の作動により発生する熱が該循環ポンプ１４から伝熱される。このため、バーナ３の燃焼条件が成立しない状況下では、基本的には、本体ケース２内で温水バイパス路１２の下流端部から上流端部に至る温水路１１（第１熱交換器４の通水路４ａを含む）及び温水バイパス路１２を流れる水が、循環ポンプ１４からの伝熱によって徐々に温められるか、もしくは、該水の温度のさらなる低下が抑制される。
【０１０９】
これにより、本体ケース２内で温水バイパス路１２の下流端部から上流端部に至る温水路１１及び温水バイパス路１２の水の凍結を防止することが可能となる。また、この場合、該水は、本体ケース２の外部に流れないので、該水の保温性が高い（温度の低下が生じ難い）ものとなる。
【０１１０】
給湯側水循環処理ではさらに、温水バイパス路１２上の第２熱交換器１０での通水路１０ａを流れる水から通水路１０ｂ内の水への伝熱が行われると共に、その伝熱された熱が、本体ケース２内で第２熱交換器１０の通水路１０ｂの上流側及び下流側に連なる給湯路２０内の水と給湯バイパス路２１内の水とに拡散していく。また、この場合、上記した如く、第１熱交換器４と温水バイパス路１２との間で循環する水の保温性が高いいので、第２熱交換器１０の通水路１０ａを流れる水から通水路１０ｂ内の水への伝熱量が多くなりやすい。
【０１１１】
このため、基本的には、本体ケース２内で給湯路２０（第２熱交換器１０の通水路１０ｂを含む）と給湯バイパス路２１とに残留している水が徐々に温められるか、もしくは、該水の温度のさらなる低下が抑制される。
【０１１２】
従って、給湯側水循環処理では、バーナ３の燃焼条件が成立しない状況で、本体ケース２内で温水バイパス路１２の下流端部から上流端部に至る温水路１１及び温水バイパス路１２の水の凍結を、該水への循環ポンプ１４からの伝熱によって防止することが可能となることに加えて、第２熱交換器１０での伝熱によって、本体ケース２内で給湯路２０と給湯バイパス路２１とに残留している水の凍結を防止することが可能となる。
【０１１３】
なお、暖房側水循環処理及び給湯側水循環処理のいずれでも、バーナ３の燃焼条件が成立する場合（バーナ３の燃焼運転を実行しないと、凍結が進行しやすい状況）では、バーナ３の燃焼運転が行われるので、本体ケース２内の通水路の水の凍結を確実に防止できる。
【０１１４】
また、本実施形態では、前記給湯側水循環処理を実行する時間幅としての前記給湯側ＯＮ時間は、給湯路２０の給水温度Ｔinが低いほど（０℃に近いほど）、長い時間に設定される。ここで、給湯路２０の給水温度Ｔinが低いほど、本体ケース２内の給湯路２０（第２熱交換器１０の通水路１０ｂを含む）や給湯バイパス路２１の水が凍結する可能性が高いので、給湯路２０の給水温度Ｔinが低いほど、凍結防止の要求度合い（特に、本体ケース２内での給湯用水の凍結防止の要求度合い）が高いとみなすことができる。
【０１１５】
従って、給水温度Ｔinにより示される凍結防止の要求度合いが高いほど、給湯側ＯＮ時間が長い時間に設定される。この場合、給湯側水循環処理では、前記したように、第１熱交換器４と温水バイパス路１２との間で循環する水の保温性が高い（該水が温まりやすい）ため、本体ケース２内の給湯路２０及び給湯バイパス路２１を含めた本体ケース２内の通水路の水が、循環ポンプ１４が発生する熱によって温まりやすい。
【０１１６】
実際、本願発明者の実験によれば、図４のグラフで例示されるように、給湯側ＯＮ時間が長いほど、本体ケース２内の通水路の水の温度をより高い温度に昇温させることができることが確認された。
【０１１７】
このため、給水温度Ｔinにより示される凍結防止の要求度合いが高いほで、給湯側ＯＮ時間を長い時間に設定することによって、バーナ３の燃焼条件が成立しない状況で、本体ケース２内の通水路の水の凍結を防止することの効果を高めることができる。
【０１１８】
また、本実施形態では、前記給湯側ＯＮ時間は、バーナ３の燃焼条件が成立したのに、バーナ３の燃焼運転を正常に開始することができない場合には、バーナ３の燃焼運転を開始できる場合よりも長い時間に設定される。ここで、バーナ３の燃焼条件が成立したのに、バーナ３の燃焼運転を正常に開始することができない状況は、凍結防止のために、バーナ３の燃焼熱を利用できない状況であるから、本体ケース２内の通水路の水の凍結防止の要求度合いが高いとみなし得る。
【０１１９】
従って、バーナ３の燃焼運転を正常に開始することができないために、凍結防止の要求度合いが高いものとなった状況でも、給湯側ＯＮ時間が長めの時間に設定される。このため、バーナ３の燃焼運転を行うことができない状況でも、本体ケース２内の通水路の水が、循環ポンプ１４が発生する熱によって温まりやすくなって、該通水路の水の凍結を防止することの効果を高めることができる。
【０１２０】
なお、以上説明した実施形態では、本体ケース２内の通水路の水の凍結防止の要求度合に関連する１つの指標情報として、前記温度センサ２４により検出される給水温度Ｔinを使用し、該給水温度Ｔinの検出値に応じて給湯側ＯＮ時間を可変的に設定した。ただし、例えば、給水温度Ｔinの検出値以外に、給湯路２０の給湯用水の温度の高低度合いを表す指標情報を用いてもよい。例えば、温度センサ２５により検出される給湯用水の温度（給湯バイパス路２１の下流側の給湯用水の温度）、あるいは、温度センサ７により検出されるケース内温度を、凍結防止の要求度合いに関連する指標情報として使用してもよい。あるいは、例えば、前記温度センサ７，２４，２５のそれぞれにより検出される温度のうちの２種類以上の温度の検出値を、凍結防止の要求度合いに関連する指標情報として使用してもよい。
【０１２１】
また、前記実施形態では、給水温度Ｔinの検出値に応じて給湯側ＯＮ時間を可変的に設定することと、バーナ３の燃焼運転を開始することができるか否かに応じて給湯側ＯＮ時間を可変的に設定することを実行したが、例えばいずれか一方だけを実行する態様を採用することも可能である。
【０１２２】
また、バーナ３の燃焼運転を開始することができない場合において、例えば、図３のＳＴＥＰ１９の判断処理を省略し、ＳＴＥＰ１８の判断結果が肯定的になるまで（あるいは前記凍結防止終了条件が成立するまで）、給湯側水水循環処理を継続的に実行するようにしてもよい。
【０１２３】
また、前記実施形態に熱源装置１は、加熱部として、バーナ３を備えるものであるが、加熱部は、電熱器等、電気エネルギーを熱エネルギーに変換するものであってもよい。
【符号の説明】
【０１２４】
１…熱源装置、３…バーナ（加熱部）、４…第１熱交換器、１０…第２熱交換器、１１…温水路、１２…温水バイパス路、１３…三方弁（流路切換装置）、１４…循環ポンプ、２０…給湯路、３０…制御装置、５０…暖房端末。
【図１】
2019219067.tif 000004
【図２】
2019219067.tif 000005
【図３】
2019219067.tif 000006
【図４】
2019219067.tif 000007